【手続補正書】
【提出日】平成19年8月29日(2007.8.29)
【手続補正１】
【補正対象書類名】特許請求の範囲
【補正対象項目名】全文
【補正方法】変更
【補正の内容】
【特許請求の範囲】
【請求項１】
水平画角が１３０°以上であって、
プラスチックレンズ同士を接合した接合レンズを含み、
当該接合レンズにおける前記プラスチックレンズの接合面が双方、非球面であって、かつ、下式
｜Ｒ｜＜φ／２
Ｒ：接合面の中心曲率半径
φ：接合面の光線有効径
を満たしていることを特徴とする広角レンズ。
【請求項２】
水平画角が１３０°以上であって、
プラスチックレンズ同士を接合した接合レンズを含み、
当該接合レンズにおける前記プラスチックレンズの接合面が双方、非球面であって、かつ、
前記接合レンズにおける物体側のレンズおよび像側のレンズの両側を空気としたときの前記物体側のレンズの焦点距離ｆ１および前記像側のレンズの焦点距離ｆ２を各々、以下の一般的な焦点距離ｆの計算式
１／ｆ＝（ｎ−１）（１／ｒ1−１／ｒ2）＋（ｎ−１）2ｄ／ｎｒ1ｒ2
ｄ：レンズ中心厚さ
ｎ：レンズ材料のｄ線における屈折率
ｒ1：レンズ前面の曲率半径
ｒ2：レンズ後面の曲率半径
により求めたとき、
焦点距離ｆ１、ｆ２は各々、下式
0.156 ≦｜１／(ｆ１×ν１)  ＋  １／(ｆ２×ν２)｜≦ 0.0241
ν１：接合レンズにおける物体側のレンズのＡｂｂｅ数
ν２：接合レンズにおける像側のレンズのＡｂｂｅ数
を満たしていることを特徴とする広角レンズ。
【請求項３】
請求項２において、さらに、下式
｜Ｒ｜＜φ／２
Ｒ：接合面の中心曲率半径
φ：接合面の光線有効径
を満たしていることを特徴とする広角レンズ。
【請求項４】
請求項１ないし３のいずれかにおいて、含まれるレンズの全てがプラスチックレンズであることを特徴とする広角レンズ。
【請求項５】
請求項１ないし３のいずれかにおいて、含まれるレンズのうち、第１群のみがガラスレンズであり、他のレンズが全てプラスチックレンズであることを特徴とする広角レンズ。
【請求項６】
プラスチックレンズ同士が接合され、
当該プラスチックレンズの接合面が双方、非球面であって、かつ、下式
｜Ｒ｜＜φ／２
Ｒ：接合面の中心曲率半径
φ：接合面の光線有効径
を満たしていることを特徴とする接合レンズ。
【請求項７】
プラスチックレンズ同士が接合され、
当該プラスチックレンズの接合面が双方、非球面であって、かつ、
前記プラスチックレンズのうち、物体側のレンズおよび像側のレンズの両側を空気としたときの前記物体側のレンズの焦点距離ｆ１および前記像側のレンズの焦点距離ｆ２を各々、以下の一般的な焦点距離ｆの計算式
１／ｆ＝（ｎ−１）（１／ｒ1−１／ｒ2）＋（ｎ−１）2ｄ／ｎｒ1ｒ2
ｄ：レンズ中心厚さ
ｎ：レンズ材料のｄ線における屈折率
ｒ1：レンズ前面の曲率半径
ｒ2：レンズ後面の曲率半径
により求めたとき、
焦点距離ｆ１、ｆ２は各々、下式
0.156 ≦｜１／(ｆ１×ν１)  ＋  １／(ｆ２×ν２)｜≦ 0.0241
ν１：物体側のレンズのＡｂｂｅ数
ν２：像側のレンズのＡｂｂｅ数
を満たしていることを特徴とする接合レンズ。
【請求項８】
請求項７において、さらに、下式
｜Ｒ｜＜φ／２
Ｒ：接合面の中心曲率半径
φ：接合面の光線有効径
を満たしていることを特徴とする接合レンズ。
【手続補正２】
【補正対象書類名】明細書
【補正対象項目名】０００７
【補正方法】変更
【補正の内容】
【０００７】
本発明の別の形態に係る広角レンズにおいては、水平画角が１３０°以上であって、
プラスチックレンズ同士を接合した接合レンズを含み、当該接合レンズにおける前記プラスチックレンズの接合面が双方、非球面であって、かつ、
前記接合レンズにおける物体側のレンズおよび像側のレンズの両側を空気としたときの前記物体側のレンズの焦点距離ｆ１および前記像側のレンズの焦点距離ｆ２を各々、以下の一般的な焦点距離ｆの計算式
１／ｆ＝（ｎ−１）（１／ｒ1−１／ｒ2）＋（ｎ−１）2ｄ／ｎｒ1ｒ2  ・・式（２）
ｄ：レンズ中心厚さ
ｎ：レンズ材料のｄ線における屈折率
ｒ1：レンズ前面の曲率半径
ｒ2：レンズ後面の曲率半径
により求めたとき、
焦点距離ｆ１、ｆ２は各々、下式
0.156 ≦｜１／(ｆ１×ν１)  ＋  １／(ｆ２×ν２)｜≦ 0.0241  ・・式（３）
ν１：接合レンズにおける物体側のレンズのＡｂｂｅ数
ν２：接合レンズにおける像側のレンズのＡｂｂｅ数
を満たしていることを特徴とする。
【手続補正３】
【補正対象書類名】明細書
【補正対象項目名】００１７
【補正方法】変更
【補正の内容】
【００１７】
本発明では、以下に説明する実施の形態１〜４での結果に基づいて、以下の条件を設定してある。まず、接合レンズ１５（第５群）は、負のパワーを持つプラスチックレンズ１５ａと正のパワーを持つプラスチックレンズ１５ｂを貼り合わせた接合レンズであり、接合面が双方、非球面であって、かつ、以下の条件式
｜Ｒ｜＜φ／２  ・・式（１）
Ｒ：接合面の中心曲率半径
φ：接合面の光線有効径
を満たしている。
また、接合レンズ１５における物体側のプラスチックレンズ１５ａおよび像側のプラスチックレンズの両側を空気としたときの物体側のプラスチックレンズ１５ａの焦点距離ｆ１および像側のプラスチックレンズ１５ｂの焦点距離ｆ２を各々、以下の一般的な焦点距離ｆの計算式
１／ｆ＝（ｎ−１）（１／ｒ1−１／ｒ2）＋（ｎ−１）2ｄ／ｎｒ1ｒ2  ・・式（２）
ｄ：レンズ中心厚さ
ｎ：レンズ材料のｄ線における屈折率
ｒ1：レンズ前面の曲率半径
ｒ2：レンズ後面の曲率半径
により求めたとき、
焦点距離ｆ１、ｆ２は各々、下式
0.156 ≦｜１／(ｆ１×ν１)  ＋  １／(ｆ２×ν２)｜≦ 0.0241  ・・式（３）
ν１：接合レンズにおける物体側のプラスチックレンズ１５ａのＡｂｂｅ数
ν２：接合レンズにおける像側のプラスチックレンズ１５ｂのＡｂｂｅ数
を満たしている。
【手続補正４】
【補正対象書類名】明細書
【補正対象項目名】００１８
【補正方法】変更
【補正の内容】
【００１８】
すなわち、本形態では、まず、
接合面の中心曲率半径Ｒ＝０．４８４であり、
接合面の光線有効径φ＝１．７８であり、式（１）を満たしている。
また、表１に示す面番号１０、１１のデータから、物体側のプラスチックレンズ１５ａにおいて、
レンズ中心厚さｄ＝０．６
レンズ材料のｄ線における屈折率ｎ＝１．５８５（ＰＣ）
レンズ前面の曲率半径ｒ1＝７．４５５
レンズ後面の曲率半径ｒ2＝０．４８４
であり、式（２）より、物体側のプラスチックレンズ１５ａの両側を空気としたときの物体側のプラスチックレンズ１５ａの焦点距離ｆ１＝−０．９１３である。また、物体側のプラスチックレンズ１５ａのＡｂｂｅ数ν１＝２９．９である。
同様に、表１に示す面番号１１、１２のデータから、像側のプラスチックレンズ１５ｂにおいて、
レンズ中心厚さｄ＝２．１９３
レンズ材料のｄ線における屈折率ｎ＝１．５３（ＺＥＯＮＥＸＥ４８Ｒ）
レンズ前面の曲率半径ｒ1＝０．４８４
レンズ後面の曲率半径ｒ2＝−１．３４１
であり、式（２）より、像側のプラスチックレンズ１５ｂの両側を空気としたときの像側のプラスチックレンズ１５ｂの焦点距離ｆ２＝１．１４９である。また、像側のプラスチックレンズ１５ｂのＡｂｂｅ数ν２＝５５．８である。従って、本形態は、上記の条件式（３）における以下の値
｜１／(ｆ１×ν１)  ＋  １／(ｆ２×ν２)｜
は、０．０２１０であり、式（３）を満たしている。それ故、本形態は、条件式（１）（３）の双方を満たしている。
【手続補正５】
【補正対象書類名】明細書
【補正対象項目名】００２６
【補正方法】変更
【補正の内容】
【００２６】
接合レンズ２４（第４群）は、負のパワーを持つプラスチックレンズ２４ａと正のパワーを持つプラスチックレンズ２４ｂとを貼り合わせた接合レンズであり、接合面が双方、非球面であって、かつ、上記の条件式（１）（３）の双方を満たしている。
【手続補正６】
【補正対象書類名】明細書
【補正対象項目名】００２７
【補正方法】変更
【補正の内容】
【００２７】
すなわち、本形態では、まず、
接合面の中心曲率半径Ｒ＝０．６０２であり、
接合面の光線有効径φ＝２．０４であり、式（１）を満たしている。
また、表３に示す面番号８、９のデータから、物体側のプラスチックレンズ２４ａにおいて、
レンズ中心厚さｄ＝０．５
レンズ材料のｄ線における屈折率ｎ＝１．５８５（ＰＣ）
レンズ前面の曲率半径ｒ1＝７．０８７６
レンズ後面の曲率半径ｒ2＝０．６０２
であり、式（２）より、物体側のプラスチックレンズ２４ａの両側を空気としたときの物体側のプラスチックレンズ２４ａの焦点距離ｆ１＝−１．１５８である。また、物体側のプラスチックレンズ２４ａのＡｂｂｅ数ν１＝２９．９である。
同様に、表３に示す面番号９、１０のデータから、像側のプラスチックレンズ２４ｂにおいて、
レンズ中心厚さｄ＝２．３７４
レンズ材料のｄ線における屈折率ｎ＝１．５３（ＺＥＯＮＥＸＥ４８Ｒ）
レンズ前面の曲率半径ｒ1＝０．６０２
レンズ後面の曲率半径ｒ2＝−１．３７１
であり、式（２）より、像側のプラスチックレンズ２４ｂの両側を空気としたときの像側のプラスチックレンズ２４ｂの焦点距離ｆ２＝１．３５４である。また、像側のプラスチックレンズ２４ｂのＡｂｂｅ数ν２＝５５．８である。従って、本形態は、上記の条件式（３）における以下の値
｜１／(ｆ１×ν１)  ＋  １／(ｆ２×ν２)｜
は、０．０１５６であり、式（３）を満たしている。それ故、本形態は、条件式（１）（３）の双方を満たしている。
【手続補正７】
【補正対象書類名】明細書
【補正対象項目名】００３５
【補正方法】変更
【補正の内容】
【００３５】
接合レンズ３４（第４群）は、負のパワーを持つプラスチックレンズ３４ａと正のパワーを持つプラスチックレンズ３４ｂとを貼り合わせた接合レンズであり、接合面が双方、非球面であって、かつ、上記の条件式（１）（３）の双方を満たしている。
【手続補正８】
【補正対象書類名】明細書
【補正対象項目名】００３６
【補正方法】変更
【補正の内容】
【００３６】
すなわち、本形態では、まず、
接合面の中心曲率半径Ｒ＝０．４２０であり、
接合面の光線有効径φ＝２．３２であり、式（１）を満たしている。
また、表５に示す面番号８、９のデータから、物体側のプラスチックレンズ３４ａにおいて、
レンズ中心厚さｄ＝０．６
レンズ材料のｄ線における屈折率ｎ＝１．５８５（ＰＣ）
レンズ前面の曲率半径ｒ1＝５．１０２
レンズ後面の曲率半径ｒ2＝０．４２
であり、式（２）より、物体側のプラスチックレンズ３４ａの両側を空気としたときの物体側のプラスチックレンズ３４ａの焦点距離ｆ１＝−０．８２１である。また、物体側のプラスチックレンズ３４ａのＡｂｂｅ数ν１＝２９．９である。
同様に、表５に示す面番号９、１０のデータから、像側のプラスチックレンズ３４ｂにおいて、
レンズ中心厚さｄ＝２．５６
レンズ材料のｄ線における屈折率ｎ＝１．５３（ＺＥＯＮＥＸＥ４８Ｒ）
レンズ前面の曲率半径ｒ1＝０．４２
レンズ後面の曲率半径ｒ2＝−１．７５４
であり、式（２）より、像側のプラスチックレンズ３４ｂの両側を空気としたときの像側のプラスチックレンズ３４ｂの焦点距離ｆ２＝１．０８０である。また、像側のプラスチックレンズ３４ｂのＡｂｂｅ数ν２＝５５．８である。従って、本形態は、上記の条件式（３）における以下の値
｜１／(ｆ１×ν１)  ＋  １／(ｆ２×ν２)｜
は、０．０２４１であり、式（３）を満たしている。それ故、本形態は、条件式（１）（３）の双方を満たしている。
【手続補正９】
【補正対象書類名】明細書
【補正対象項目名】００４４
【補正方法】変更
【補正の内容】
【００４４】
接合レンズ４４（第４群）は、正のパワーを持つプラスチックレンズ４４ａと正のパワーを持つプラスチックレンズ４４ｂとを貼り合わせた接合レンズであり、接合面が双方、非球面であって、かつ、上記の条件式（１）（３）の双方を満たしている。
【手続補正１０】
【補正対象書類名】明細書
【補正対象項目名】００４５
【補正方法】変更
【補正の内容】
【００４５】
すなわち、本形態では、まず、
接合面の中心曲率半径Ｒ＝０．４００であり、
接合面の光線有効径φ＝２．２３であり、式（１）を満たしている。
また、表７に示す面番号８、９のデータから、物体側のプラスチックレンズ４４ａにおいて、
レンズ中心厚さｄ＝０．５５
レンズ材料のｄ線における屈折率ｎ＝１．５８５（ＰＣ）
レンズ前面の曲率半径ｒ1＝２．９８５
レンズ後面の曲率半径ｒ2＝０．４
であり、式（２）より、物体側のプラスチックレンズ４４ａの両側を空気としたときの物体側のプラスチックレンズ４４ａの焦点距離ｆ１＝−０．８５７である。また、物体側のプラスチックレンズ３４ａのＡｂｂｅ数ν１＝２９．９である。
同様に、表７に示す面番号９、１０のデータから、像側のプラスチックレンズ４４ｂにおいて、
レンズ中心厚さｄ＝２．５
レンズ材料のｄ線における屈折率ｎ＝１．５３（ＺＥＯＮＥＸＥ４８Ｒ）
レンズ前面の曲率半径ｒ1＝０．４
レンズ後面の曲率半径ｒ2＝−１．５０９
であり、式（２）より、像側のプラスチックレンズ４４ｂの両側を空気としたときの像側のプラスチックレンズ４４ｂの焦点距離ｆ２＝１．０９２である。また、像側のプラスチックレンズ４４ｂのＡｂｂｅ数ν２＝５５．８である。従って、本形態は、上記の条件式（３）における以下の値
｜１／(ｆ１×ν１)  ＋  １／(ｆ２×ν２)｜
は、０．０２４１であり、式（３）を満たしている。それ故、本形態は、条件式（１）（３）の双方を満たしている。